(57)【要約】  【課題】  配線基板領域の境界において母基板を分割する際の作業性が良好であり、個片の配線基板の生産性に優れた多数個取り配線基板を提供する。  【解決手段】  母基板１に複数の配線基板領域２が縦横の並びに配列形成されてなり、配線基板領域２の境界でダイシング加工により分割される多数個取り配線基板９であって、母基板１の配線基板領域２の境界２ｂに、境界２ｂの長さ方向に不連続部となる複数の空間５が、平面視で隣り合うもの同士で、母基板１の厚み方向における位置が異なり、かつ境界２ｂの長さ方向において連続するように形成されている多数個取り配線基板９である。ダイシング加工で実際に切断される母基板１の厚さが空間５の分薄くなるので、欠け等の発生を抑えながら切断速度を速くすることができ、個片の配線基板の生産性に優れた多数個取り配線基板９とすることができる。【選択図】  図１
2010056498.tif 000002
【特許請求の範囲】
【請求項１】
母基板に複数の配線基板領域が縦横の並びに配列形成されてなり、前記配線基板領域の境界でダイシング加工により分割される多数個取り配線基板であって、
前記母基板の前記配線基板領域の境界に、該境界の長さ方向に不連続部となる複数の空間が、平面視で隣り合うもの同士で、前記母基板の厚み方向における位置が異なり、かつ前記境界の長さ方向において連続するように形成されていることを特徴とする多数個取り配線基板。
【請求項２】
前記空間は、平面視で隣り合うもの同士が互いに上下で直接接しないように形成されていることを特徴とする請求項１記載の多数個取り配線基板。
【請求項３】
複数の前記空間からそれぞれ前記母基板の外表面にかけて、前記母基板を厚み方向に貫通する貫通孔が形成されていることを特徴とする請求項１記載の多数個取り配線基板。
【請求項４】
前記母基板の外周部に複数の前記配線基板領域を取り囲むダミー領域が設けられており、該ダミー領域に、前記配線基板領域の境界に形成された前記空間の前記配線基板領域側の外縁を通り前記配線基板領域の境界と平行に伸びる直線に対して前記空間と反対側に、前記直線を外縁の位置としたダミー領域内空間が形成されていることを特徴とする請求項１記載の多数個取り配線基板。
【請求項５】
前記空間のうち前記母基板の外縁部に位置するものは、前記母基板の表面に形成されていることを特徴とする請求項１記載の多数個取り配線基板。
【請求項６】
前記ダミー領域内空間のうち前記母基板の外縁部に位置するものは、前記母基板の表面に形成されていることを特徴とする請求項４記載の多数個取り配線基板。
【請求項７】
前記空間のうち前記配線基板領域の境界同士が交差する部分に位置するものは、前記母基板の表面に形成されていることを特徴とする請求項１記載の多数個取り配線基板。
【請求項８】
前記配線基板領域の境界同士が交差する部分において前記母基板の表面に形成された前記空間は、交差し合う前記境界の両方にそれぞれ、一方の境界に沿った長さが交差する他方の境界における前記ダイシング加工による切断幅よりも長くなるように形成されていることを特徴とする請求項７記載の多数個取り配線基板。
【発明の詳細な説明】
【技術分野】
【０００１】
本発明は、半導体素子や弾性表面波素子等の電子部品を搭載するための配線基板となる配線基板領域が複数個、母基板に縦横の並びに配列されてなり、配線基板領域の境界においてダイシング加工により切断される多数個取り配線基板に関するものである。
【背景技術】
【０００２】
従来、半導体素子や弾性表面波素子等の電子部品を搭載するために用いられる配線基板は、酸化アルミニウム質焼結体やガラスセラミック焼結体等の電気絶縁材料から成る四角形板状の絶縁基体の上面に電子部品を搭載するための搭載部を有し、この搭載部またはその周辺から絶縁基体の側面や下面にかけてタングステン等の金属材料から成る複数の配線導体が形成された構造を有している。
【０００３】
このような配線基板は、一般に、１枚の広面積の母基板から複数個の配線基板を同時集約的に得るようにした、いわゆる多数個取り配線基板の形態で製作されている。
【０００４】
多数個取り配線基板は、例えば、平板状の母基板に配線基板となる配線基板領域が縦横の並びに複数個配列形成された構造を有している。
【０００５】
このような多数個取り配線基板は、配線基板領域の境界において母基板にダイシング加工等の切断加工を施すことにより、個片の配線基板に分割される。ダイシング加工は、ダイヤモンドや酸化アルミニウム等の研削材を樹脂等の結合材で結合してなる円盤状のダイシングブレードを高速で回転させて母基板を切断することにより行なわれる。
【特許文献１】特開平11−135557号公報
【特許文献２】特開2000−22040号公報
【特許文献３】特開2001−308524号公報
【発明の開示】
【発明が解決しようとする課題】
【０００６】
しかしながら、上記従来技術の多数個取り配線基板は、ダイシングブレードを用いて母基板を分割する際に、酸化アルミニウム質焼結体等からなる厚い母基板を切断する必要があるため、切断の速度を速くすることが難しい。また、切断の速度を速くするためにダイシングブレードの回転速度や母基板の送り速度を無理に速くした場合には、母基板に負荷が掛かって欠けや亀裂等が発生しやすくなるという問題があった。このような欠けや亀裂が発生すると、個片の配線基板に、欠けや亀裂に伴う配線導体の断線や外形寸法の不良等の不具合を発生させやすくなる。そのため、母基板を分割する際の作業性を高めることが難しく、個片の配線基板の生産性を高くすることが難しいという問題があった。
【０００７】
特に、近年、搭載される電子部品の高機能化，高集積化に応じて電子部品と電気的に接続される配線導体数が増える傾向もあり、多数の配線導体を形成するスペースを確保するために母基板（個片の絶縁基体）の厚さが、例えば約３ｍｍ以上と厚くなる場合もある。そのため、前述したような欠け等の不具合の防止や分割時の作業性の向上がさらに難しくなってきている。
【０００８】
本発明は、かかる従来の問題点に鑑みて完成されたものであり、その目的は、配線基板領域の境界でダイシング加工により母基板を分割する際の作業性が良好であり、個片の配線基板の生産性に優れた多数個取り配線基板を提供することにある。
【課題を解決するための手段】
【０００９】
本発明の多数個取り配線基板は、母基板に複数の配線基板領域が縦横の並びに配列形成されてなり、前記配線基板領域の境界でダイシング加工により分割される多数個取り配線基板であって、前記母基板の前記配線基板領域の境界に、該境界の長さ方向に不連続部となる複数の空間が、平面視で隣り合うもの同士で、前記母基板の厚み方向における位置が異なり、かつ前記境界の長さ方向において連続するように形成されていることを特徴とするものである。
【００１０】
また、本発明の多数個取り配線基板は、上記構成において、前記空間は、平面視で隣り合うもの同士が互いに上下で直接接しないように形成されていることを特徴とするものである。
【００１１】
また、本発明の多数個取り配線基板は、上記構成において、複数の前記空間からそれぞれ前記母基板の外表面にかけて、前記母基板を厚み方向に貫通する貫通孔が形成されていることを特徴とするものである。
【００１２】
また、本発明の多数個取り配線基板は、上記構成において、前記母基板の外周部に複数の前記配線基板領域を取り囲むダミー領域が設けられており、該ダミー領域に、前記配線基板領域の境界に形成された前記空間の前記配線基板領域側の外縁を通り前記配線基板領域の境界と平行に伸びる直線に対して前記空間と反対側に、前記直線を外縁の位置としたダミー領域内空間が形成されていることを特徴とするものである。
【００１３】
また、本発明の多数個取り配線基板は、上記構成において、前記空間のうち前記母基板の外縁部に位置するものは、前記母基板の表面に形成されていることを特徴とするものである。
【００１４】
また、本発明の多数個取り配線基板は、上記構成において、前記ダミー領域内空間のうち前記母基板の外縁部に位置するものは、前記母基板の表面に形成されていることを特徴とするものである。
【００１５】
また、本発明の多数個取り配線基板は、上記構成において、前記空間のうち前記配線基板領域の境界同士が交差する部分に位置するものは、前記母基板の表面に形成されていることを特徴とするものである。
【００１６】
また、本発明の多数個取り配線基板は、上記構成において、前記配線基板領域の境界同士が交差する部分において前記母基板の表面に形成された前記空間は、交差し合う前記境界の両方にそれぞれ、一方の境界に沿った長さが交差する他方の境界における前記ダイシング加工による切断幅よりも長くなるように形成されていることを特徴とするものである。
【発明の効果】
【００１７】
本発明の多数個取り配線基板によれば、母基板のうち配線基板領域の境界に、配線基板領域の境界の長さ方向に不連続部となる複数の空間が、平面視で隣り合うもの同士で、母基板の厚み方向における位置が異なり、かつ境界の長さ方向に連続するように形成されていることから、ダイシング加工される配線基板領域の境界で、空間の分、母基板の厚さを薄くすることができる。そのため、母基板のダイシング加工で実際に切断される厚さが薄くなるので、ダイシング加工をより容易とすることができ、切断速度を速くすることができる。したがって、本発明の多数個取り配線基板によれば、配線基板領域の境界でダイシング加工により母基板を分割する際の作業性が良好であり、個片の配線基板の生産性に優れた多数個取り配線基板を提供することができる。
【００１８】
また、本発明の多数個取り配線基板において、複数個の空間が互いに上下で直接重ならないように形成されている場合には、空間に変形が生じることをより確実に防止することができる。
【００１９】
すなわち、上下の空間同士が、例えば平面視で隣り合う辺同士の部分で直接接していると、母基板の製作時に、母基板となる未焼成のセラミック材料のうち一方の空間に隣接する部分が上側または下側の他方の空間内に入り込み、他方の空間に高さが低くなるような変形等の変形を発生させる可能性がある。これに対し、空間同士が上下で直接接していなければ、ある空間に隣接する母基板の一部が他の空間内に入り込むようなことを抑制することができる。そのため、空間に変形が生じることを効果的に抑制して、ダイシング加工の作業性をより良好に確保することができる。
【００２０】
なお、空間に変形が生じると、空間の位置がダイシング加工される位置からずれて、ダイシング加工を容易とする効果が低くなる可能性がある。また、配線基板領域の境界（ダイシング加工で除去される部分）に納まっているべき空間が隣接する配線基板領域内に入り込み、個片の配線基板の側面に不要なお凹凸を生じて外観不良や寸法不良等の不具合を生じる可能性がある。
【００２１】
また、本発明の多数個取り配線基板において、複数の空間からそれぞれ母基板の外表面にかけて、母基板を厚み方向に貫通する貫通孔が形成されている場合には、母基板となる未焼成のセラミック材料の内部に空間が形成されているとき、焼成時に空間内のガス（空気や焼成炉中の還元雰囲気等の気体）を容易に外部に排出させることができる。そのため、空間内のガスの熱膨張により母基板の表面が膨れて変形するような不具合（いわゆるフクレ）の発生が効果的に抑制される。したがって、この場合には、個片の配線基板に不具合が生じることがより効果的に抑制されるため、多数の配線基板の生産性を良好とする上で有効な多数個取り配線基板とすることができる。
【００２２】
また、本発明の多数個取り配線基板において、母基板の外周部に複数の配線基板領域を取り囲むダミー領域が設けられており、そのダミー領域に、配線基板領域の境界に形成された空間の配線基板領域側の外縁を通り配線基板領域の境界と平行に伸びる直線に対して空間と反対側に、直線を外縁の位置としたダミー領域内空間が形成されている場合には、ダイシング加工に用いるダイシングブレードの磨耗にばらつきが生じることを抑制することが可能な多数個取り配線基板とすることができる。
【００２３】
すなわち、配線基板領域の境界に形成された空間は、個片の配線基板の側面に空間の跡が残ることを防ぐために、母基板のダイシングブレードで切断される幅（ダイシングブレードの幅）よりも狭く設定する場合がある。この場合、空間が形成されている部分（ダイシングブレードの幅方向の中央部分）では、母基板の実際に切断される厚さが薄いため、ダイシングブレードの磨耗が、その外側の空間が形成されていない部分（ダイシングブレードの幅方向の外周部分）に比べて小さくなる傾向がある。
【００２４】
これに対し、上記のようにダミー領域内空間を形成しておけば、ダミー領域では、ダミー領域内空間の分、ダイシングブレードの幅方向の外周部分で磨耗を小さくすることができる。そのため、ダミー領域内空間の分、配線基板領域の境界におけるダイシングブレードの磨耗のばらつきと相殺させて、ダイシングブレードの磨耗のばらつきを抑制することができる。なお、配線基板領域の境界に形成された空間の配線基板領域側の外縁を通り配線基板領域の境界と平行に伸びる直線は、このダイシングブレードの磨耗に差が生じる可能性がある中央部分と外周部分との境界に相当する。
【００２５】
また、本発明の多数個取り配線基板は、空間のうち母基板の外縁部に位置するものが母基板の表面に形成されている場合には、その空間を容易に視認することができる。そして、この空間により、母基板の外縁部における配線基板領域の境界の位置を容易に検知することができる。したがって、この場合には、ダイシングブレードの母基板に対する位置合わせがより容易であり、個片の配線基板の生産性を高める上でより有効な多数個取り配線基板とすることができる。
【００２６】
また、本発明の多数個取り配線基板は、ダミー領域内空間のうち母基板の外縁部に位置するものが母基板の表面に形成されている場合には、そのダミー領域内空間を容易に視認することができる。そして、このダミー領域内空間により、外周部にダミー領域が設けられた母基板の外縁部における配線基板領域の境界の位置を容易に検知することができる。したがって、この場合にも、ダイシングブレードの母基板に対する位置合わせがより容易であり、個片の配線基板の生産性を高める上でより有効な多数個取り配線基板とすることができる。
【００２７】
また、本発明の多数個取り配線基板は、空間のうち配線基板領域の境界同士が交差する部分に位置するものが母基板の表面に形成されている場合にも、その空間を容易に視認することができる。したがって、この場合にも、ダイシングブレードの母基板に対する位置合わせがより容易であり、個片の配線基板の生産性を高める上でより有効な多数個取り配線基板とすることができる。
【００２８】
また、本発明の多数個取り配線基板は、配線基板領域の境界同士が交差する部分において母基板の表面に形成された空間が、交差し合う境界の両方にそれぞれ、一方の境界に沿った長さが交差する他方の境界におけるダイシング加工による切断幅よりも長くなるように形成されている場合にも、同様にダイシングブレードの母基板の位置合わせをより容易とすることができる。また、この場合には、まず一方（または他方）の境界に沿って母基板を分割したときに、その分割された母基板の外縁部において、交差する他方（または一方）の境界に沿って表面に空間を視認することができる。そして、この交差する他方（または一方）の境界に沿った空間により配線基板領域の境界の位置を容易に検知することができる。したがって、この場合には、個片の配線基板への分割がより容易な多数個取り配線基板とすることができる。
【発明を実施するための最良の形態】
【００２９】
本発明の多数個取り配線基板について、添付の図面を参照しつつ説明する。
【００３０】
図１（ａ）は、本発明の多数個取り配線基板の実施の形態の一例を示す平面図であり、図１（ｂ），（ｃ）は、それぞれ図１（ａ）のＢ−Ｂ線，Ｃ−Ｃ線における断面図である。図１において、１は母基板、２は配線基板領域である。母基板１に複数の配線基板領域２が縦横の並びに配列されて多数個取り配線基板９が基本的に形成されている。
【００３１】
母基板１は、酸化アルミニウム質焼結体，ガラスセラミック焼結体，窒化アルミニウム
質焼結体，炭化珪素質焼結体，窒化珪素質焼結体，ムライト質焼結体等のセラミック材料や、エポキシ樹脂，ポリイミド樹脂等の樹脂材料、セラミック材料と樹脂材料との複合材料等の電気絶縁材料により形成されている。
【００３２】
母基板１に配列された複数の配線基板領域２は、それぞれが個片の配線基板（図示せず）となる領域である。母基板１が配線基板領域２の境界２ｂにおいて切断されることにより、複数の配線基板が同時集約的に製作される。
【００３３】
個片の配線基板が電子部品搭載用基板として使用される場合には、配線基板領域２の上面の中央部や下面等に電子部品の搭載部が設けられる。この実施の形態の例においては、配線基板領域２の上面の中央部に凹部２ａが設けられ、その凹部２ａの底面が電子部品の搭載部（符号なし）とされた例を示している。
【００３４】
なお、母基板１は、このような凹部２ａを配線基板領域２に有しているものである必要はなく、平板状のもの（図示せず）として、配線基板領域２の平坦な上面や下面の一部を搭載部としたものでもよい。
【００３５】
搭載部に搭載される電子部品（図示せず）としては、ＩＣやＬＳＩ等の半導体集積回路素子、およびＬＥＤ（発光ダイオード）やＰＤ（フォトダイオード），ＣＣＤ（電荷結合素子）等の光半導体素子を含む半導体素子、弾性表面波素子や水晶振動子等の圧電素子、容量素子、抵抗器、半導体基板の表面に微小な電子機械機構が形成されてなるマイクロマシン（いわゆるＭＥＭＳ素子）等の種々の電子部品が挙げられる。
【００３６】
電子部品は、搭載部に、例えばエポキシ系樹脂，ポリイミド系樹脂，アクリル系樹脂，シリコーン系樹脂，ポリエーテルアミド系樹脂等の樹脂接着剤や、Ａｕ−Ｓｎ，Ｓｎ−Ａｇ−Ｃｕ，Ｓｎ−Ｃｕ，Ｓｎ−Ｐｂ等のはんだや、ガラス等で接着される。
【００３７】
また、この例においては、母基板１に、搭載部の外周部分から配線基板領域２の下面にかけて配線導体３が形成されている。配線導体３は、搭載部に搭載される電子部品と電気的に接続されて、電子部品を外部の電気回路に電気的に接続する導電路として機能する。
【００３８】
配線導体３は、銅タングステンやモリブデン，マンガン，銀，パラジウム，白金，金，等の金属材料により形成されている。
【００３９】
電子部品と配線導体３との電気的な接続は、例えば、配線導体３のうち搭載部の周辺に露出している部位に電子部品の電極（図示せず）を、ボンディングワイヤやはんだ等の導電性接続材（図示せず）を介して接続することにより行なうことができる。
【００４０】
このような、それぞれが配線導体３を有する複数の配線基板領域２が縦横の並びに配列された母基板１は、例えば酸化アルミニウム質焼結体からなる場合であれば、次のようにして製作することができる。
【００４１】
まず、酸化アルミニウムを主成分とし、酸化ケイ素や酸化マグネシウム等を添加してなる原料粉末を、有機溶剤，バインダと混練するとともに、ドクターブレード法やリップコータ法等の成形方法でシート状に成形して、セラミックグリーンシートを作製する。次に、タングステンやモリブデン等の金属材料の粉末を有機溶剤，バインダとともに混練して、金属ペーストを作製する。次に、セラミックグリーンシートを母基板１の外形寸法に切断するとともに、配線基板領域２となる領域のそれぞれに、所定の配線導体３のパターンにスクリーン印刷法等の印刷法で金属ペーストを印刷する。そして、複数のセラミックグリーンシートを積層した後、約1300〜1600℃程度の焼成温度で焼成することにより、それぞれが配線導体３を有する複数の配線基板領域２が縦横の並びに配列された母基板１を製作することができる。
【００４２】
なお、母基板１は、未焼成のセラミック材料や未硬化の樹脂材料を金型等を用いて所定の板状に成型し、これを焼成したり硬化させたりすることにより製作することもできる。
【００４３】
なお、この実施の形態の例において、母基板１の外周には、配列された複数の配線基板領域２を取り囲むようにダミー領域４が設けられている。ダミー領域４は、多数個取り配線基板９の取り扱いを容易とすること等のために設けられている。また、ダミー領域４は、配線導体３の露出表面にニッケルや金等のめっき層（図示せず）を被着させるための電解めっきを施すときに、めっき用の電流を流す導電路を形成するためのスペースとして機能させることもできる。
【００４４】
この多数個取り配線基板９は、配線基板領域２の境界２ｂ（この例では、配線基板領域２同士の境界および配線基板領域２とダミー領域４との境界）においてダイシング加工を施して個々の配線基板領域２毎に切断することにより、個片の配線基板に分割される。
【００４５】
ダイシング加工による母基板１の分割は、ダイヤモンド等の砥粒がガラスや樹脂材料等の結合材で結合されてなるダイシングブレードを高速（約5000〜15000回転／分）で回転させて、配線基板領域２の境界２ｂにおいて母基板１を切断することにより行なわれる。ダイシングブレードの母基板１に対する位置決めは、例えば母基板１にあらかじめ位置決め用のマーク（図示せず）を形成しておいて、その位置を画像認識装置で認識させることにより行なう。この位置決め用のマークは、例えば配線導体３と同様の材料を用い、同様の方法で母基板１に形成することができる。また、位置決め用のマークは、母基板１を形成するのと同様の材料に顔料等の着色剤を添加したものや、母基板１の外縁部分等の一部を切り欠いてなる切り欠き部等により形成してもよい。
【００４６】
また、この多数個取り配線基板９は、母基板１の配線基板領域２の境界２ｂに、その境界２ｂの長さ方向で不連続部となる複数の空間５が、平面視で隣り合うもの同士が、母基板１の厚み方向における位置が異なり、かつ長さ方向において連続するように形成されている。そして、このような空間５が形成されていることから、多数個取り配線基板９では、ダイシング加工される配線基板領域２の境界２ｂ部分において、空間５の分、母基板１の厚さを薄くすることができる。
【００４７】
そのため、母基板１についてダイシング加工で実際に切断される厚さが薄くなるので、ダイシング加工をより容易とすることができ、切断速度を速くすることができる。したがって、このような多数個取り配線基板９によれば、配線基板領域２の境界２ｂでダイシング加工により母基板１を分割する際の作業性が良好であり、個片の配線基板の生産性に優れた多数個取り配線基板９を提供することができる。
【００４８】
このような空間５は、例えば、母基板１となるセラミックグリーンシートのうち配線基板領域２の境界２ｂに、金型を用いた打ち抜き加工等の穴あけ加工を施して複数の貫通孔（図示せず）を形成しておくことにより形成することができる。この場合、各セラミックグリーンシートにおいて、このような貫通孔が形成された部分で配線基板領域２の境界２ｂが長さ方向に不連続となり、この不連続部となる空間５が平面視で長さ方向に連続することにより、境界２ｂの全長にわたってダイシング加工を容易とする効果を得ることができる。
【００４９】
また、空間５は、平面視で隣り合うもの同士が、母基板１の厚み方向における位置が異なるように形成されているときには、母基板１の厚み方向の一部に空間５が偏って形成されることを抑制することができる。そのため、母基板１の厚み方向に、空間５が形成されずダイシング加工し難い部分や空間５が連続して機械的な強度が低くなるような部分等が偏って形成されることを抑制することができる。
【００５０】
なお、空間５は、母基板１が、未焼成のセラミック材料が板状に成型されるとともに焼成されてなるものである場合には、このような成型体（図示せず）のうち配線基板領域２の境界２ｂに相当する部分に、焼成時に分解除去されるポリプロピレンやスチレン等の樹脂材料（図示せず）を空間５の所定位置に挿入しておくことにより形成することができる。また母基板１が、未硬化の樹脂材料が板状に成型されるとともに硬化されてなるものである場合には、このような成型体（図示せず）のうち配線基板領域２の境界２ｂに相当する部分に、熱により分解除去されるメタクリル酸メチルやメタクリル酸ブチル等の熱分解性高分子材料を空間５の所定の位置に挿入しておくことにより空間５を形成することができる。この場合、分解除去された樹脂材料や熱分解性高分子材料の跡が空間５になる。
【００５１】
空間５のそれぞれの高さは、前述のように母基板１がセラミックグリーンシートを積層し、焼成することにより製作されるものである場合には、セラミックグリーンシートそれぞれの厚さ（実際には焼成収縮した後の厚さ）と同じ寸法に設定すればよい。
【００５２】
また、母基板１が酸化アルミニウム質焼結体等の機械的な強度の高いセラミック材料からなる場合には、空間５は、母基板１の実際に切断される厚さが、配線基板２の境界２ｂの全長にわたって約2.5ｍｍ以下程度になるように形成することが好ましい。セラミックグリーンシートの厚さが薄く、１層のみではこの条件を満たすことが難しいような場合には、平面視で同じ位置に、母基板１の厚み方向の位置が異なるようにして空間５を複数形成すればよい。
【００５３】
例えば、図２に断面図で示すように、厚さが0.3ｍｍの酸化アルミニウム質焼結体からなる絶縁層（焼成された各セラミックグリーンシート）１ａが10層積層されてなる母基板１の場合であれば、平面視で同じ位置に２個の空間５を、母基板１の深さ方向の位置が異なるようにして形成する。この場合、母基板１の外形の厚さは約３ｍｍであり、平面視で同じ位置に２個の空間が形成されているので、配線基板領域２の境界２ｂでは母基板１の実際の厚さは約2.4ｍｍになる。なお、図２は、本発明の多数個取り配線基板９の実施の形態の他の例を示す要部拡大断面図である。図２において、図１と同様の部位には同様の符号を付している。
【００５４】
また、空間５は、この図２に示したような配置（平面視で隣り合う空間５の間に絶縁層１ａを１層介在させた配置パターンＡの繰り返し）に限らず、図３（ａ）に示すように不規則な配置にしたり、図３（ｂ）に示すような配置（平面視で隣り合う空間５の間に絶縁層１ａを２層介在させた配置パターンＢの繰り返し）にしたりしてもよい。なお、図３（ａ）および（ｂ）は、それぞれ本発明の多数個取り配線基板９の実施の形態の他の例を示す要部拡大断面図である。図３において、図１と同様の部位には同様の符号を付している。
【００５５】
なお、空間５は、母基板１の表面に露出して形成されていると、その露出した部分の外縁部分（空間５の内側面と母基板１の上面等の表面との間の角部分）等で母基板１に欠け等の不具合を誘発する可能性がある。また、この欠け等を基点として母基板１に亀裂を生じる可能性もある。そのため、空間５は、母基板１の表面に露出するものが多くなり過ぎないように形成することが好ましい。図３（ａ）に示した例では、空間５のうち母基板１の表面に露出するものの割合を、図２や図３（ｂ）に示した例よりも小さくしている。
【００５６】
また、図３（ａ）に示す例では、空間５の一部（空間５ａ，５ｂ）は、平面視で隣り合
うもの同士が、隣接する辺部分で直接接するように形成されている。このような配置は、後述するように空間５（この場合は空間５ａ，５ｂ）の変形を招きやすいため避けることが望ましいものの、母基板１の機械的な強度の確保や配線導体３の配置のスペース確保等の他の条件に応じては採り得る配置である。
【００５７】
また、空間５は、平面視で同じ位置にあるものの高さの合計が、母基板１の厚さの１／３を超えると、その部分における母基板１の機械的強度が他の部分に比べて著しく低くなりやすい。そのため、搬送等の取り扱い時に、誤って母基板１にその機械的な強度の低い部分を起点とする割れ等の不具合を誘発する可能性がある。したがって、空間５は、平面視で同じ位置にあるものの高さの合計が母基板１の厚さの１／３以下になるように形成することが好ましい。
【００５８】
また、空間５は、配線基板領域２の境界２ｂの全長にわたって母基板１の厚さが同じ程度に薄くなるように配置することが望ましい。母基板１の厚さが部分的に異なると、ダイシング加工時に、厚さが厚い部分で母基板１に掛かる負荷が増加して欠けや亀裂を生じやすくなる可能性があり、また薄い部分で切断速度が急に速くなって、同様に母基板１に欠けや亀裂を生じやすくなる可能性がある。
【００５９】
このような空間５の配置は、前述したように母基板１のダイシング加工により切断される厚さを薄くすることを優先しながら、前述した条件を満たすようにして、さらに、配線基板領域２同士の間を電気的に接続するために境界２ｂを横切るように形成される可能性のある配線導体３や、母基板１の内部に形成される貫通導体（図示せず）等との干渉を避けることや、生産性，コスト等も考慮して決めるようにすればよい。
【００６０】
また、空間５の幅（境界２ｂの長さ方向に直交する方向の寸法）は、配線基板領域２の境界２ｂの、ダイシング加工により切断される幅、つまり切断に用いるダイシングブレードの幅よりも少し狭いものであることが好ましい。空間５の幅がダイシングブレードの幅より大きい場合には、切断した後の個片の配線基板の側面に空間５の跡が残り、外観不良や寸法不良等の不具合を発生させる可能性がある。
【００６１】
例えば、ダイシングブレードの幅が約50〜300μｍであれば、空間５の幅は、それよりも５〜30μｍ程度（ダイシングブレードの幅に対して約10％程度）狭い寸法に設定すればよい。
【００６２】
また、空間５の長さ（境界２ｂの長さ方向の寸法）は、前述したような配置形態で、前述したような高さおよび厚さの空間５を形成して配置することが可能であり、かつ加工時に変形を生じない範囲であれば、任意に設定してもよい。
【００６３】
例えば、母基板１が複数の絶縁層１ａ（セラミックグリーンシート）が積層されてなるものの場合には、空間５の長さが長すぎると、積層時に上層のセラミックグリーンシートの一部が下層のセラミックグリーンシートに形成した空間５となる貫通孔内に入り込む、いわゆるダレを生じ、空間５が変形したり、部分的に塞がってしまったりする可能性がある。このような不具合を抑制する上で、空間５の長さは、２ｍｍ以下に設定することが好ましい。
【００６４】
また、空間５の平面視したときの形状は、境界２の極力広い範囲で母基板１を薄くする上では、前述したような幅の長方形状（角を円弧状に成形したものを含む）が好ましい。
【００６５】
なお、空間５は、全部を同じ形状，寸法とする必要はなく、前述したような配線導体３等の配置や絶縁層１ａの厚さ等に応じて、空間５の形状や寸法が異なっていてもよい。
【００６６】
例えば、絶縁層１ａの一部が、配線導体３の電気的な特性の調整等のために他の絶縁層１ａよりも薄いものとされるような場合には、その薄い絶縁層１ａに形成される空間５は、他の絶縁層１ａに形成される空間５よりも高さが低くなる。このような場合には、薄い絶縁層１ａのうち空間５が形成されるものの割合を多くすること等の手段により、配線基板領域２の境界２ｂでの母基板１の厚さを薄くすればよい。
【００６７】
また、この多数個取り配線基板９において、複数個の空間５が、平面視で隣り合うもの同士が互いに上下で直接重ならないように形成されている場合には、空間５の変形をより確実に防止することができる。そして、空間５が変形して配線基板領域２の境界２ｂから配線基板領域２内にはみ出たり、潰れたりするようなことをより効果的に防止することができる。
【００６８】
すなわち、上下の空間５同士が、例えば平面視で隣り合う辺同士の部分で直接接していると、母基板１の製作時に、母基板１となる未焼成のセラミック材料のうち一方の空間５に隣接する部分が上側または下側の他方の空間５内に入り込み、他方の空間５に高さが低くなるような変形を発生させる可能性がある。これに対し、空間５同士が上下で直接接していなければ、ある空間５に隣接する母基板１の一部が他の空間５内に入り込むようなことは抑制することができる。そのため、空間５に変形が生じることを効果的に抑制して、ダイシング加工の作業性をより良好に確保することができる。
【００６９】
また、このような空間５の変形が効果的に抑制されるため、空間５が隣接する配線基板領域２内に入り込むことは効果的に防止され、個片の配線基板の側面に不要な凹凸を生じて外観不良や寸法不良等の不具合を生じることが抑制される。
【００７０】
複数個の空間５が、平面視で隣り合うもの同士が互いに上下で直接重ならないように形成されている多数個取り配線基板９の例としては、図２や図３（ｂ）に示したような例を挙げることができる。
【００７１】
また、このような多数個取り配線基板９において、図４に示すように、複数の空間５からそれぞれ母基板１の外表面にかけて、母基板１を厚み方向に貫通する貫通孔６が形成されている場合には、母基板１となる未焼成のセラミック材料（セラミックグリーンシートの積層体等）の内部に空間５が形成されているとき、焼成時に空間５内のガスを外部に排出させることができる。そのため、空間５内のガスの熱膨張により母基板１の表面が膨れて変形するような不具合（いわゆるフクレ）の発生が効果的に抑制される。したがって、この場合には、個片の配線基板に不具合が生じることがより効果的に抑制され、多数の配線基板の生産性を良好に確保する上で有効な多数個取り配線基板９とすることができる。なお、図４は、本発明の多数個取り配線基板９の実施の形態の他の例を示す要部拡大断面図である。図４において、図１と同様の部位には同様の符号を付している。
【００７２】
このような貫通孔６は、例えば、母基板１となるセラミックグリーンシートに金属ピンを用いた機械的な打ち抜き加工を施すことにより形成することができる。
【００７３】
なお、貫通孔６は、それぞれの空間５から個別に直接母基板１の外表面（図４に示す例では母基板１の上面または下面）にかけて形成されているものである必要はなく、途中で他の空間５を経て母基板１の外表面に貫通しているものでも構わない。
【００７４】
また、貫通孔６は、例えば、空間５の幅が約100μｍで長さが約２ｍｍ程度のものであれば、横断面が直径約50μｍの円形状に形成すればよい。この場合、貫通孔６は、金属ピン等による打ち抜き加工の加工性を考慮すれば横断面が円形のものが適しているが、空間５の寸法や形状に応じて、楕円形状や四角形状の横断面で形成してもよい。また、貫通孔６は、１つの空間５に対して１つ形成されていれば、ガスを排出させる効果を十分に得ることができる。
【００７５】
なお、図１に示した例では、母基板１の外周部に設けたダミー領域４にも、配線基板領域２の境界２ｂを延長した延長線部分（符号なし）に空間５を形成している。ダミー領域４の空間５も、配線基板領域２の境界２ｂの空間と同様の方法で形成することができる。母基板１が外周部分にダミー領域４を有する場合には、ダイシングブレードによる母基板１の切断をより確実に不具合なく行なわせるために、ダミー領域４にも空間５を形成することが好ましい。
【００７６】
ダミー領域４に空間５を形成する場合にも、配線基板領域２の境界２ｂに空間５を形成する場合と同様の基準で、空間５の位置や寸法を決めるようにすればよい。すなわち、ダミー領域４にも、配線基板領域２の境界２ｂに形成するのと同様の形状および寸法の空間５を、母基板１の厚さが延長線部分の全長にわたって配線基板領域２の境界２ｂと同じ程度に薄くなるように形成すればよい。
【００７７】
このように、ダミー領域４にも空間５を形成した母基板１を備える多数個取り配線基板９の切断は、例えば母基板１が酸化アルミニウム質焼結体からなり、厚さが３ｍｍ以上の硬く厚いものでも、切断速度を効果的に速くすることができる。例えば、刃厚が約0.05ｍｍのダイシングブレード（砥粒としてダイヤモンドを用いたもの）を約5000回転／分で回転させて行なう場合には、約20ｍｍ／秒以上の速度で母基板１を配線基板領域２の境界２ｂにおいて切断することができる。また、このような速度で切断したとしても、切断されて得られる個片の配線基板に発生する欠け等の不良の発生率は約0.05％以下に抑えることができる。
【００７８】
これに対し、このような空間５を形成しない、従来の多数個取り配線基板（図示せず）の場合であれば、上記と同様の条件において、母基板の切断速度は約15ｍｍ／秒程度であり、これ以上速くすると亀裂等の不具合の発生が増加する。
【００７９】
この多数個取り配線基板９において、例えば図５に示すように、母基板１の外周部に複数の配線基板領域２を取り囲むダミー領域４が設けられており、そのダミー領域４に、配線基板領域２の境界２ｂに形成された空間５の配線基板領域２側の外縁を通り配線基板領域２の境界２ｂと平行に伸びる直線Ｌに対して空間５と反対側に、直線Ｌを外縁の位置としたダミー領域内空間７が形成されている場合には、ダイシング加工に用いるダイシングブレードの磨耗にばらつきが生じることを抑制することが可能な多数個取り配線基板９とすることができる。なお、図５は、本発明の多数個取り配線基板の実施の形態の他の例を示す要部拡大平面図である。図５において、図１と同様の部位には同様の符号を付している。
【００８０】
すなわち、配線基板領域２の境界２ｂに形成された空間５は、個片の配線基板の側面に空間５の跡が残ることを防ぐために、例えば図６（ａ）に示すように、母基板１のダイシングブレードＤで切断される幅（ダイシングブレードＤの幅）よりも狭く設定する場合がある。この場合、空間５が形成されている部分（ダイシングブレードＤの幅方向の中央部分）では、母基板１の実際に切断される厚さが薄いため、ダイシングブレードＤの磨耗が、その外側の空間５が形成されていない部分（ダイシングブレードＤの幅方向の外周部分）に比べて小さくなる傾向がある。これに対し、上記のようにダミー領域内空間７を形成しておけば、例えば図６（ｂ）に示すように、ダミー領域４では、ダミー領域内空間７の分、母基板１の切断される厚さが薄くなるため、ダイシングブレードＤの幅方向の外周部分で、中央部部分に比べて磨耗を小さくすることができる。そのため、ダミー領域内空間７の分、配線基板領域２の境界２ｂにおけるダイシングブレードＤの磨耗のばらつきと相殺させて、ダイシングブレードＤの磨耗のばらつきを抑制することができる。なお、図６（ａ）および（ｂ）は、本発明の多数個取り配線基板の他の実施形態における効果を説明するために要部を模式的に示す要部拡大断面図である。図６において図１と同様の部位には同様の符号を付している。
【００８１】
また、ダミー領域内空間７の分、母基板１のダイシング加工で切断される厚さを薄くすることもできるので、ダイシング加工の作業性を良好に確保することもできる。
【００８２】
なお、配線基板領域２の境界２ｂに形成された空間５の配線基板領域２側の外縁を通り配線基板領域２の境界２ｂと平行に伸びる直線Ｌは、このダイシングブレードＤの磨耗に差が生じる可能性がある、ダイシングブレードＤの幅方向の中央部分と外周部分との境に相当する。ダミー領域内空間７が、この直線Ｌを外縁の位置として形成されているので、直線Ｌを境として生じるダミーブレードＤの磨耗の差を効果的に相殺させる（幅方向において磨耗の程度を均す）ことができる。
【００８３】
このダミー領域内空間７も、空間５と同様に、複数のダミー領域内空間７が、平面視で隣り合うもの同士で、母基板１の厚み方向における位置が異なり、かつ直線Ｌに沿って連続するように形成すればよい。
【００８４】
ダミー領域内空間７は、直線ＬとダイシングブレードＤで切断される範囲の外縁との間に形成されていれば、ダイシングブレードの磨耗を均す効果を得ることができるが、母基板１のダイシングブレードＤにより切断される範囲よりも外側まで延びて形成されていてもよい。
【００８５】
このようなダミー領域内空間７は、直線Ｌを外縁の位置とするため、平面視したときに直線Ｌ側の外縁が直線状である形状、例えば長方形状や台形状等の四角形状や、角部を円弧状に面取りした四角形状，半円状，楕円を長軸や短軸に沿って切断した形状に形成される。
【００８６】
また、この多数個取り配線基板９は、図７に示すように、空間５のうち母基板１の外縁部に位置するものが母基板１の表面に形成されている場合には、その空間５を容易に視認することができる。そして、この空間５により、母基板１の外縁部における配線基板領域２の境界２ｂの位置を容易に検知することができる。したがって、この場合には、ダイシングブレードの母基板１に対する位置合わせがより容易であり、個片の配線基板の生産性を高める上でより有効な多数個取り配線基板９とすることができる。なお、図７は、本発明の多数個取り配線基板９の実施の形態の他の例を示す要部拡大平面図である。図７において、図１と同様の部位には同様の符号を付している。図７に示す例では、母基板１の外周部にダミー領域４を設けていない。
【００８７】
また、この多数個取り配線基板９は、図８に示すように、母基板１の外周部にダミー領域４が設けられ、このダミー領域４にダミー領域内空間７が形成されている構成において、ダミー領域内空間７のうち母基板１の外縁部に位置するものが母基板１の表面に形成されている場合には、そのダミー領域内空間７を容易に視認することができる。そして、このダミー領域内空間７により、外周部にダミー領域４が設けられた母基板１の外縁部における配線基板領域２の境界２ｂの位置を容易に検知することができる。したがって、この場合にも、ダイシングブレードの母基板１に対する位置合わせがより容易であり、個片の配線基板の生産性を高める上でより有効な多数個取り配線基板９とすることができる。なお、図８は、本発明の多数個取り配線基板９の実施の形態の他の例を示す要部拡大平面図である。図８において、図１および図５と同様の部位には同様の符号を付している。
【００８８】
なお、図７や図８に示す例のように母基板１の表面に空間５やダミー領域内空間７を形成した場合には、前述のように空間５やダミー領域内空間７の内側面と母基板１の上面との間の角部分で欠け等の不具合を誘発する可能性があるため、この角部分を、例えばサンドブラスト加工等の加工方法で円弧状等に面取り加工しておくことが好ましい。
【００８９】
また、本発明の多数個取り配線基板９は、図９（ａ）に示すように、空間５のうち配線基板領域２の境界２ｂ同士が交差する部分に位置するものが母基板１の表面に形成されている場合にも、その空間５を容易に視認することができる。したがって、この場合にも、ダイシングブレードの母基板１に対する位置合わせがより容易であり、個片の配線基板の生産性を高める上でより有効な多数個取り配線基板９とすることができる。なお、図９（ａ）は、本発明の多数個取り配線基板９の実施の形態の他の例を示す要部拡大平面図である。図９（ａ）において、図１と同様の部位には同様の符号を付している。
【００９０】
また、この図９（ａ）に示す例において、多数個取り配線基板９は、配線基板領域２の境界２ｂ同士が交差する部分において母基板１の表面に形成された空間５が、交差し合う境界２ｂの両方にそれぞれ、一方の境界２ｂに沿った長さが交差する他方の境界２ｂにおけるダイシング加工による切断幅よりも長くなるように形成されている。この場合には、前述のようにダイシングブレードの母基板１の位置合わせをより容易とすることができることに加えて、次のような効果を得ることができる。
【００９１】
すなわち、この場合には、例えば図９（ｂ）に示すように、まず一方（または他方）の境界２ｂに沿って母基板１をいわゆる短冊状に分割したときに、その短冊状に分割された母基板（１）の外縁部において、交差する他方（または一方）の境界２ｂに沿って表面に空間５を残しておくことができる。そして、この交差する他方（または一方）の境界２ｂに沿った空間５により配線基板領域２の境界２ｂの位置を容易に検知することができ、この位置を基準にして、短冊状に分割された母基板（１）を個片の配線基板に分割することができる。したがって、この場合には、個片の配線基板への分割がより容易な多数個取り配線基板９とすることができる。なお、図９（ｂ）は、図９（ａ）に示す多数個取り配線基板９の母基板１を一方の境界２ｂに沿って分割した状態（分割した短冊状のものの一つ）を示す平面図である。図９（ｂ）においても、図１と同様の部位には同様の符号を付している。
【００９２】
また、多数個取り配線基板９の個片への分割は、配線基板領域２に電子部品を搭載した後で行なってもよい。配線基板領域２に電子部品を搭載した後にダイシング加工を行なうときに、特に電子部品がＭＥＭＳ素子や弾性表面波素子のように機械的な動きをする機構を有するものの場合には、ダイシングに伴う切削屑が電子部品に付着すると、その機械的な動きが妨げられて誤作動する可能性が大きくなる。そのため、この場合には、まず蓋体や封止樹脂等の封止手段（図示せず）で電子部品を封止してから、母基板１にダイシング加工を施すことが好ましい。
【００９３】
個片の配線基板に電子部品が搭載されてなる電子装置は、コンピュータや携帯電話，デジタルカメラ，加速度や圧力等の各種センサ等の種々の電子機器において部品として使用される。電子装置と電子機器（電子機器を構成する回路基板等）との電気的な接続は、例えば配線導体３のうち配線基板（配線基板領域２）の下面に露出する部位を、はんだや導電性接着剤等の導電性接合材を介して接合することにより行なわせることができる。
【図面の簡単な説明】
【００９４】
【図１】（ａ）は本発明の多数個取り配線基板の平面図であり、（ｂ）および（ｃ）はそれぞれ（ａ）のＢ−Ｂ線，Ｃ−Ｃ線における断面図である。
【図２】本発明の多数個取り配線基板の実施の形態の他の例を示す要部拡大断面図である。
【図３】（ａ）および（ｂ）は、それぞれ本発明の多数個取り配線基板の実施の形態の他の例を示す要部拡大断面図である。
【図４】本発明の多数個取り配線基板の実施の形態の他の例を示す要部拡大断面図である。
【図５】本発明の多数個取り配線基板の実施の形態の他の例を示す要部拡大平面図である。
【図６】（ａ）および（ｂ）は、それぞれ本発明の多数個取り配線基板の他の実施形態における効果を説明するために要部を模式的に示す要部拡大断面図である。
【図７】本発明の多数個取り配線基板の実施の形態の他の例を示す要部拡大平面図である。
【図８】本発明の多数個取り配線基板の実施の形態の他の例を示す要部拡大平面図である。
【図９】（ａ）は本発明の多数個取り配線基板の実施の形態の他の例を示す要部拡大平面図であり、（ｂ）は（ａ）に示す多数個取り配線基板が短冊状に分割された状態を示す平面図である。
【符号の説明】
【００９５】
１・・・母基板
１ａ・・絶縁層
２・・・配線基板領域
２ａ・・凹部
２ｂ・・配線基板領域の境界
３・・・配線導体
４・・・ダミー領域
５・・・空間
６・・・貫通孔
７・・・ダミー領域内空間
９・・・多数個取り配線基板
【図１】
2010056498.tif 000003
【図２】
2010056498.tif 000004
【図３】
2010056498.tif 000005
【図４】
2010056498.tif 000006
【図５】
2010056498.tif 000007
【図６】
2010056498.tif 000008
【図７】
2010056498.tif 000009
【図８】
2010056498.tif 000010
【図９】
2010056498.tif 000011